(57)【要約】短縮送信時間インターバル（ｓＴＴＩ）を有するチャネルのためのトランスポートブロックサイズ（ＴＢＳ）を計算するためのシステム、装置、および方法。初期サイズは、１つまたは複数のＴＢＳテーブルに基づいて決定され得る。初期サイズは、ｓＴＴＩチャネルに関連する係数によってスケーリングされ得る。ＴＢＳテーブルは、１つまたは複数のＴＢＳテーブルに基づいて選択される。スケーリングされたサイズは、ｓＴＴＩチャネルのためのＴＢＳを生成するために、選択されたＴＢＳテーブルに基づいて丸められ得る。【選択図】図４
2021514142.tif 000002
【特許請求の範囲】
【請求項１】
短縮送信時間インターバル（ｓＴＴＩ）チャネルのためのトランスポートブロックサイズ（ＴＢＳ）を計算する方法であって、
少なくともベースラインテーブルを使用して初期サイズを決定することと、
前記ｓＴＴＩチャネルに関連する係数によって前記初期サイズをスケーリングすることと、
前記ベースラインテーブルか変換テーブルのいずれか、またはそれらの組合せからテーブルを選択することと、
前記スケーリングされたサイズを前記選択されたテーブルのＴＢＳ値に丸めることと
を備える方法。
【請求項２】
前記変換テーブルは、前記ベースラインテーブルからのベースラインサイズを、複数のレイヤにマッピングされたトランスポートブロックのＴＢＳにマッピングする、請求項１に記載の方法。
【請求項３】
前記テーブルを選択することは、
前記ｓＴＴＩチャネルのトランスポートブロックがマッピングされたレイヤの数に基づいて、前記ベースラインテーブルと変換テーブルとのユニオンを選択すること
を備える、請求項１に記載の方法。
【請求項４】
前記スケーリングされたサイズがしきい値より小さい場合、前記ベースラインテーブルを選択すること
をさらに備える、請求項１に記載の方法。
【請求項５】
前記スケーリングされたサイズが前記しきい値より大きい場合、前記ｓＴＴＩチャネルのトランスポートブロックがマッピングされたレイヤの数に応じて前記ベースラインテーブルまたは前記変換テーブルを選択すること
をさらに備える、請求項４に記載の方法。
【請求項６】
前記スケーリングされたサイズを丸めることは、
前記選択されたテーブルのＴＢＳ値のセットを決定すること
を備える、請求項１に記載の方法。
【請求項７】
前記セットは、前記選択されたテーブルのすべての前記ＴＢＳ値を含む、請求項６に記載の方法。
【請求項８】
前記スケーリングされたサイズを前記セット中の最も近い値に丸めること
をさらに備える、請求項６に記載の方法。
【請求項９】
前記セットの２つの値が前記スケーリングされたサイズに同程度に最も近い場合、前記スケーリングされたサイズは、前記２つの値のうちのより大きい方に丸められる、請求項８に記載の方法。
【請求項１０】
短縮送信時間インターバル（ｓＴＴＩ）チャネルのためのトランスポートブロックサイズ（ＴＢＳ）を計算する装置であって、メモリに結合されたプロセッサを備え、前記プロセッサが、
少なくともベースラインテーブルを使用して初期サイズを決定することと、
前記ｓＴＴＩチャネルに関連する係数によって前記初期サイズをスケーリングすることと、
前記ベースラインテーブルか変換テーブルのいずれか、またはそれらの組合せからテーブルを選択することと、
前記スケーリングされたサイズを前記選択されたテーブルのＴＢＳ値に丸めることと
を行うように構成される、装置。
【請求項１１】
前記変換テーブルは、前記ベースラインテーブルからのベースラインサイズを、複数のレイヤにマッピングされたトランスポートブロックのＴＢＳにマッピングする、請求項１０に記載の装置。
【請求項１２】
前記ベースラインテーブルと変換テーブルとのユニオンは、前記ｓＴＴＩチャネルのトランスポートブロックがマッピングされたレイヤの数に基づいて選択される、請求項１０に記載の装置。
【請求項１３】
前記スケーリングされたサイズがしきい値より小さい場合、前記ベースラインテーブルが選択される、請求項１０に記載の装置。
【請求項１４】
前記スケーリングされたサイズが前記しきい値より大きい場合、前記ベースラインテーブルまたは前記変換テーブルが、前記ｓＴＴＩチャネルのトランスポートブロックがマッピングされたレイヤの数に応じて選択される、請求項１３に記載の装置。
【請求項１５】
前記スケーリングされたサイズを丸めるように構成された前記プロセッサが、
前記選択されたテーブルのＴＢＳ値のセットを決定すること
を行うように構成された前記プロセッサを備える、請求項１０に記載の装置。
【請求項１６】
前記セットは、前記選択されたテーブルのすべての前記ＴＢＳ値を含む、請求項１５に記載の装置。
【請求項１７】
前記スケーリングされたサイズを丸めるように構成された前記プロセッサが、
前記スケーリングされたサイズを前記セット中の最も近い値に丸めること
を行うように構成された前記プロセッサをさらに備える、請求項１５に記載の装置。
【請求項１８】
前記セットの２つの値が前記スケーリングされたサイズに同程度に最も近い場合、前記スケーリングされたサイズは、前記２つの値のうちのより大きい方に丸められる、請求項１７に記載の装置。
【請求項１９】
短縮送信時間インターバル（ｓＴＴＩ）チャネルのためのトランスポートブロックサイズ（ＴＢＳ）を計算する装置であって、
ベースラインテーブルを使用して初期サイズを決定するための手段と、
前記ｓＴＴＩチャネルに関連する係数によって前記初期サイズをスケーリングするための手段と、
前記ベースラインテーブルか変換テーブルのいずれか、またはそれらの組合せからテーブルを選択するための手段と、
前記スケーリングされたサイズを前記選択されたテーブルのＴＢＳ値に丸めるための手段と
を備える装置。
【請求項２０】
前記変換テーブルは、前記ベースラインテーブルからのベースラインサイズを、複数のレイヤにマッピングされたトランスポートブロックのＴＢＳにマッピングする、請求項１９に記載の装置。
【請求項２１】
前記テーブルを選択するための前記手段は、
前記ｓＴＴＩチャネルのトランスポートブロックがマッピングされたレイヤの数に基づいて、前記ベースラインテーブルと変換テーブルとのユニオンを選択するための手段
を備える、請求項１９に記載の装置。
【請求項２２】
前記スケーリングされたサイズがしきい値より小さい場合、前記ベースラインテーブルを選択するための手段
をさらに備える、請求項１９に記載の装置。
【請求項２３】
前記スケーリングされたサイズが前記しきい値より大きい場合、前記ｓＴＴＩチャネルのトランスポートブロックがマッピングされたレイヤの数に応じて前記ベースラインテーブルまたは前記変換テーブルを選択するための手段
をさらに備える、請求項２２に記載の装置。
【請求項２４】
前記スケーリングされたサイズを丸めるための前記手段は、
前記選択されたテーブルのＴＢＳ値のセットを決定するための手段
を備える、請求項１９に記載の装置。
【請求項２５】
前記セットは、前記選択されたテーブルのすべての前記ＴＢＳ値を含む、請求項２４に記載の装置。
【請求項２６】
前記スケーリングされたサイズを前記セット中の最も近い値に丸めるための手段
をさらに備える、請求項２４に記載の装置。
【請求項２７】
前記セットの２つの値が前記スケーリングされたサイズに同程度に最も近い場合、前記スケーリングされたサイズは、前記２つの値のうちのより大きい方に丸められる、請求項２６に記載の装置。
【請求項２８】
短縮送信時間インターバル（ｓＴＴＩ）チャネルのためのトランスポートブロックサイズ（ＴＢＳ）を計算する非一時的なコンピュータ読取可能な媒体であって、前記媒体は、
少なくともベースラインテーブルを使用して初期サイズを決定することと、
前記ｓＴＴＩチャネルに関連する係数によって前記初期サイズをスケーリングすることと、
前記ベースラインテーブルか変換テーブルのいずれか、またはそれらの組合せからテーブルを選択することと、
前記スケーリングされたサイズを前記選択されたテーブルのＴＢＳ値に丸めることと
を装置に実行させるように実行可能なコードを備える命令を記憶している、媒体。
【請求項２９】
前記変換テーブルは、前記ベースラインテーブルからのベースラインサイズを、複数のレイヤにマッピングされたトランスポートブロックのＴＢＳにマッピングする、請求項２８に記載の媒体。
【請求項３０】
前記テーブルを選択するための前記コードは、
前記ｓＴＴＩチャネルのトランスポートブロックがマッピングされたレイヤの数に基づいて、前記ベースラインテーブルと変換テーブルとのユニオンを選択するためのコード
を備える、請求項２８に記載の媒体。
【請求項３１】
前記スケーリングされたサイズを丸めるための前記コードは、
前記選択されたテーブルのＴＢＳ値のセットを決定するためのコード
を備える、請求項２８に記載の媒体。
【請求項３２】
前記スケーリングされたサイズを前記セット中の最も近い値に丸めるためのコード
をさらに備える、請求項３１に記載の媒体。
【請求項３３】
前記セットの２つの値が前記スケーリングされたサイズに同程度に最も近い場合、前記スケーリングされたサイズは、前記２つの値のうちのより大きい方に丸められる、請求項３２に記載の媒体。
【発明の詳細な説明】
【関連出願に対する優先権の主張および相互参照】
【０００１】
[0001]  本出願は、２０１８年２月１５日に出願された「Transport Block Size for Channels with Shortened Transmission Time Interval」と題する米国仮出願第６２／６３１，３９２号、および２０１９年２月７日に出願された米国特許出願第１６／２７０，５４６号の優先権の利益を主張する。上で識別された出願／文書は、本出願の開示の一部として、参照によりその全体が本明細書に明確に組み込まれる。
【背景技術】
【０００２】
[0002]  本開示は一般に、ワイヤレス通信に関し、より具体的には、短縮送信時間インターバル（ｓＴＴＩ：shortened transmission time interval）を有するチャネル（channel）のためのトランスポートブロックサイズ（transport block size）に関する。
【０００３】
[0003]  ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システムまたは新無線（ＮＲ：New Radio）システム）が含まれる。ワイヤレス多元接続通信システムは、各々が複数の通信デバイスのための通信を同時にサポートするいくつかの基地局またはアクセスネットワークノードを含み得、それは、別名ユーザ機器（ＵＥ：user equipment）として知られ得る。
【０００４】
[0004]  いくつかのロングタームエボリューション（ＬＴＥ）または新無線（ＮＲ）展開では、基地局および／またはＵＥは、一般に送信時間インターバル（ＴＴＩ：transmission time interval）と呼ばれる定義された時間期間中にデータパケットを送信し得る。レガシＬＴＥシステム（例えば、ＬＴＥリリース８）は一般に、ＴＴＩとして１ミリ秒（サブフレームの持続時間）を使用する。それより後のＬＴＥリリースは、ワイヤレス送信に対して低レイテンシ（low latency）を提供するサービスをサポートするために短縮ＴＴＩ（ｓＴＴＩ）を導入する。ｓＴＴＩは、レガシ（または非短縮）ＴＴＩと比べて時間的により短い持続時間を有する。相応して、ｓＴＴＩ送信のために利用可能なリソースの量が、レガシＴＴＩのものより少なくなり得るため、ｓＴＴＩチャネルのためのトランスポートブロック（ＴＢ：transport block）は、レガシＴＴＩチャネルと比べてより小さいトランスポートブロックサイズ（ＴＢＳ：transport block size）を有し得る。
【発明の概要】
【０００５】
[0005]  短縮ＴＴＩ（ｓＴＴＩ）チャネルのためのトランスポートブロックサイズ（ＴＢＳ）についてのシステム、装置（apparatus）、および方法が開示される。初期サイズ（initial size）は、ベースラインテーブル（baseline table）、またはベースラインテーブルからのベースラインサイズ（baseline size）を１つより多くのレイヤ（layer）にマッピングされたトランスポートブロックのＴＢＳ値にマッピングする変換テーブル（translation table）のような１つまたは複数のＴＢＳテーブルに基づいて決定され得る。初期サイズは、ｓＴＴＩチャネルに関連する係数（factor）によってスケーリングされ得る。ＴＢＳテーブルは、１つまたは複数のＴＢＳテーブルに基づいて選択され得る。スケーリングされたサイズ（scaled size）は、ｓＴＴＩチャネルのためのＴＢＳを生成するために、選択されたＴＢＳテーブルに基づいて丸められ得る。
【０００６】
[0006]  ある態様では、ｓＴＴＩチャネルのためのＴＢＳを計算する方法が提供される。方法は、ＵＥまたは基地局によって実行され得る。初期サイズは、少なくともベースラインテーブルを使用して決定され得る。初期サイズは、ｓＴＴＩチャネルに関連する係数によってスケーリングされ得る。さらに、ベースラインテーブルか変換テーブルのいずれか、またはそれらの組合せからテーブルが選択され得る。加えて、スケーリングされたサイズは、選択されたテーブル（selected table）のＴＢＳ値に丸められ得る。
【０００７】
[0007]  別の態様では、ｓＴＴＩチャネルのためのＴＢＳを計算する装置が提供され得る。装置は、メモリ（memory）と、そのメモリに結合されたプロセッサ（processor）とを含み得る。プロセッサは、少なくともベースラインテーブルを使用して初期サイズを決定するように構成され得る。プロセッサはまた、ｓＴＴＩチャネルに関連する係数によって初期サイズをスケーリングするように構成され得る。さらに、プロセッサは、ベースラインテーブルか変換テーブルのいずれか、またはそれらの組合せからテーブルを選択するように構成され得る。加えて、プロセッサは、スケーリングされたサイズを選択されたテーブルのＴＢＳ値に丸めるように構成され得る。
【０００８】
[0008]  さらに別の態様では、ｓＴＴＩチャネルのためのＴＢＳを計算する装置が提供され得る。装置は、少なくともベースラインテーブルを使用して初期サイズを決定するための手段を含み得る。装置はまた、ｓＴＴＩチャネルに関連する係数によって初期サイズをスケーリングするための手段を含み得る。さらに、装置は、ベースラインテーブルか変換テーブルのいずれか、またはそれらの組合せからテーブルを選択するための手段を含み得る。加えて、装置は、スケーリングされたサイズを選択されたテーブルのＴＢＳ値に丸めるための手段を含み得る。
【０００９】
[0009]  さらに別の態様では、ｓＴＴＩチャネルのためのＴＢＳを計算する非一時的なコンピュータ読取可能な媒体（non-transitory computer-readable medium）が提供される。非一時的なコンピュータ読取可能な媒体は、少なくともベースラインテーブルを使用して初期サイズを決定することを装置が実行するために実行可能なコード（code）を含み得る、そこに記憶された命令（instruction）を含み得る。命令はまた、ｓＴＴＩチャネルに関連する係数によって初期サイズをスケーリングするためのコードを含み得る。さらに、命令は、ベースラインテーブルか変換テーブルのいずれか、または組合せからテーブルを選択するためのコードを含み得る。加えて、命令は、スケーリングされたサイズを選択されたテーブルのＴＢＳ値に丸めるためのコードを含み得る。
【００１０】
[0010]  様々な態様では、変換テーブルは、ベースラインテーブルからのベースラインサイズを、複数のレイヤにマッピングされたトランスポートブロックのＴＢＳにマッピングする。
【００１１】
[0011]  様々な態様では、ベースラインテーブルと変換テーブルとのユニオン（union）は、ｓＴＴＩチャネルのトランスポートブロックがマッピングされたレイヤの数（a number of layers）に基づいて選択され得る。
【００１２】
[0012]  様々な態様では、スケーリングされたサイズがしきい値（threshold）より小さい場合、ベースラインテーブルが選択され得る。いくつかのケースでは、スケーリングされたサイズがしきい値より大きい場合、前記ベースラインまたは変換は、ｓＴＴＩチャネルのトランスポートブロックがマッピングされたレイヤの数に応じて選択され得る。
【００１３】
[0013]  様々な態様では、スケーリングされたサイズを丸めるために、選択されたテーブルのＴＢＳ値のセットが決定される。セットは、選択されたテーブルのすべてのＴＢＳ値を含み得る。スケーリングされたサイズは、セット中の最も近い値（closest value）に丸められ得る。セットの２つの異なる値が、スケーリングされたサイズに同程度に最も近い場合、スケーリングされたサイズは、これら２つの値のうちの大きい方に丸められ得る。
【００１４】
[0014]  本開示の様々な特徴および利点が、以下でさらに詳細に説明される。他の特徴は、説明、図面、および／または特許請求の範囲から明らかになるであろう。
【００１５】
[0015]  実例となるおよび非限定的な図面が、様々な態様およびインプリメンテーションの説明を助けるために提供される。別途明記されていない限り、同様の参照記号は同様の要素を示す。
【図面の簡単な説明】
【００１６】
【図１】[0016]  ワイヤレス通信システムの例を例示する。
【図２】[0017]  短縮送信時間インターバルを含むフレーム構造（frame structure）の例を例示する。
【図３】[0018]  非短縮ＴＴＩチャネルのＴＢＳ計算のためのＴＢＳテーブルの様々な例を例示する。
【図４】[0019]  ｓＴＴＩチャネルのためのＴＢＳを計算する方法の例を例示する。
【図５】[0020]  ｓＴＴＩチャネルのためのＴＢＳ計算をサポートする装置の例を例示する。
【図６】[0021]  ｓＴＴＩチャネルのためのＴＢＳ計算をサポートするデバイスの例を例示する。
【図７】[0022]  ｓＴＴＩチャネルのためのＴＢＳ計算をサポートするネットワーキングシステムにおいてユーザ機器と通信している基地局の例を例示する。
【詳細な説明】
【００１７】
[0023]  レガシＴＴＩチャネルのためのＴＢＳは、１つまたは複数のレイヤにマッピングされたトランスポートブロックのＴＢＳ値を提供する、ベースラインテーブルおよび変換テーブルのような様々なＴＢＳテーブルを使用して計算され得る。これらのテーブルは、ｓＴＴＩチャネルのためのＴＢＳを計算するために再使用され得る。非短縮チャネルに対応する初期サイズは、これらのＴＢＳテーブルに基づいて決定され得る。初期サイズは、ｓＴＴＩチャネルに関連する係数によってスケーリングされ得る。係数は、対応するレガシチャネルと比べて、ｓＴＴＩチャネルによって与えられる利用可能なリソースの量の比例的な低減を表し得る。ＴＢＳテーブルは、様々なＴＢＳテーブルに基づいて選択され得る。例えば、スケーリングされたサイズがしきい値より小さい場合、変換ＴＢＳテーブルを避けて、ベースラインテーブルが選ばれ得る。別の例では、ベースラインテーブルと変換テーブルとの複合テーブル（combined table）は、ｓＴＴＩチャネルのトランスポートブロックがマッピングされたレイヤの数に基づいて選択され得る。ｓＴＴＩチャネルのＴＢＳは、スケーリングされたサイズを選択されたテーブルのＴＢＳ値に丸めること（rounding）によって決定され得る。
【００１８】
[0024]  上で紹介した本開示の態様が、ワイヤレス通信システムのコンテキストにおいて以下で説明される。次いで、レガシＴＴＩおよびｓＴＴＩチャネルのためのＴＢＳ計算の例が説明される。本開示の態様は、様々な装置図、システム図、およびフローチャートによってさらに例示され、それらを参照して説明される。
【００１９】
[0025]  図１は、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ＬＴＥ、ＬＴＥアドバンスト（ＬＴＥ−Ａ）ネットワーク、または新無線（ＮＲ）ネットワークであり得る。いくつかのケースでは、ワイヤレス通信システム１００は、拡張ブロードバンド通信、超高信頼性（すなわち、ミッションクリティカル）通信、低レイテンシ通信、ならびに低コストおよび低複雑度デバイスとの通信をサポートし得る。
【００２０】
[0026]  ある例では、ＵＥ１１５および基地局１０５は、ｓＴＴＩチャネルおよびレガシＴＴＩチャネルを介した通信をサポートし得る。ＵＥ１１５および基地局１０５は、レガシＴＢＳ計算メカニズムを活用することによって、ｓＴＴＩチャネルのためのトランスポートブロックのＴＢＳを計算し得る。
【００２１】
[0027]  基地局１０５は、１つまたは複数の基地局アンテナを介してＵＥ１１５とワイヤレスに通信し得る。各基地局１０５は、それぞれの地理的カバレッジエリア１１０に対して通信カバレッジを提供し得る。ワイヤレス通信システム１００において示される通信リンク１２５は、ＵＥ１１５から基地局１０５へのアップリンク送信、または基地局１０５からＵＥ１１５へのダウンリンク送信を含み得る。制御情報およびデータは、様々な技法にしたがってアップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルのＴＴＩ持続時間中に送信される制御情報は、カスケード方式で異なる制御領域間で（例えば、共通制御領域と１つまたは複数のＵＥ固有制御領域との間で）分散され得る。
【００２２】
[0028]  ＵＥ１１５は、ワイヤレス通信システム１００全体に散在しており、各ＵＥ１１５は、固定式または可動式であり得る。ＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得る。ＵＥ１１５はまた、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、すべてのインターネット（ＩｏＥ）デバイス、マシンタイプ通信（ＭＴＣ：machine type communication）デバイス、アプライアンス、自動車、または同様のものであり得る。
【００２３】
[0029]  いくつかのケースでは、ＵＥ１１５はまた、（例えば、ピアツーピア（Ｐ２Ｐ）またはデバイスツーデバイス（Ｄ２Ｄ）プロトコルを使用して）他のＵＥと直接通信することが可能であり得る。Ｄ２Ｄ通信を利用するＵＥ１１５のグループの１つまたは複数ＵＥは、セルのカバレッジエリア１１０内に存在し得る。このようなグループ内の他のＵＥ１１５は、セルのカバレッジエリア１１０の外側に存在するか、基地局１０５からの送信を受信することができないであろう。いくつかのケースでは、Ｄ２Ｄ通信を介して通信するＵＥ１１５のグループは、各ＵＥ１１５がグループ内の他のすべてのＵＥ１１５に送信する一対多システムを利用し得る。いくつかのケースでは、基地局１０５は、Ｄ２Ｄ通信のためのリソースのスケジューリングを容易にする。他のケースでは、Ｄ２Ｄ通信は、基地局１０５から独立して実行される。
【００２４】
[0030]  ＭＴＣまたはＩｏＴデバイスのようないくつかのＵＥ１１５は、低コストまたは低複雑度デバイスであり得、マシン間の自動通信、すなわちマシンツーマシン（Ｍ２Ｍ）通信、を提供し得る。Ｍ２ＭまたはＭＴＣは、デバイスが人間の介在なしに互いにまたは基地局と通信することを可能にするデータ通信技術を指し得る。例えば、Ｍ２ＭまたはＭＴＣは、情報を測定または取り込むためのセンサまたはメータを統合し、この情報を使用することまたはプログラムまたはアプリケーションとインタラクトしている人間にこの情報を提示することができるアプリケーションプログラムまたは中央サーバにこの情報を中継するデバイスからの通信を指し得る。いくつかのＵＥ１１５は、情報を収集するか、またはマシンの自動化された挙動を可能にするように設計され得る。ＭＴＣデバイスのためのアプリケーションの例には、スマート計測、在庫（inventory）モニタリング、水位モニタリング、機器モニタリング、ヘルスケアモニタリング、野生生物モニタリング、天気事象および地質学的イベントモニタリング、保有車両（fleet）管理および追跡、リモートセキュリティ感知、物理アクセス制御、およびトランザクションベースのビジネス課金が含まれる。
【００２５】
[0031]  基地局１０５は、コアネットワーク１３０とおよび互いに通信し得る。例えば、基地局１０５は、バックホールリンク１３２（例えば、Ｓ１、等）を通してコアネットワーク１３０とインターフェース接続し得る。基地局１０５は、直接的にまたは間接的に（例えば、コアネットワーク１３０を通して）、バックホールリンク１３４（例えば、Ｘ２、等）上で互いに通信し得る。基地局１０５は、ＵＥ１１５との通信のための無線構成（radio configuration）およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５は、発展型ノードＢ（ｅＮＢ）１０５とも呼ばれ得る。
【００２６】
[0032]  基地局１０５は、Ｓ１インターフェースによってコアネットワーク１３０に接続され得る。コアネットワークは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＵＥ１１５とＥＰＣとの間でのシグナリングを処理する制御ノードであり得る。すべてのユーザインターネットプロトコル（ＩＰ）パケットは、それ自体がＰ−ＧＷに接続され得るＳ−ＧＷを通して転送され得る。Ｐ−ＧＷは、ＩＰアドレス割振りおよび他の機能を提供し得る。Ｐ−ＧＷは、ネットワークオペレータのＩＰサービスに接続され得る。オペレータのＩＰサービスには、インターネット、イントラネット、ＩＰマルチメディアサブシステム（ＩＭＳ）およびパケット交換（ＰＳ）ストリーミングサービスが含まれ得る。
【００２７】
[0033]  コアネットワーク１３０は、ユーザ認証、アクセス許可、追跡、ＩＰ接続性、および他のアクセス、ルーティング、またはモビリティ機能を提供し得る。基地局１０５のようなネットワークデバイスのうちの少なくともいくつかは、アクセスノードコントローラ（ＡＮＣ）の例であり得るアクセスネットワークエンティティのようなサブコンポーネントを含み得る。各アクセスネットワークエンティティは、いくつかの他のアクセスネットワーク送信エンティティを通していくつかのＵＥ１１５と通信し得、それらの各々は、スマート無線ヘッドまたは送信／受信ポイント（ＴＲＰ）の例であり得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００２８】
[0034]  多入力多出力（ＭＩＭＯ）ワイヤレスシステムは、送信機（例えば、基地局１０５）と受信機（例えば、ＵＥ１１５）との間で送信方式を使用し、ここで、送信機と受信機の両方が複数のアンテナを装備する。ワイヤレス通信システム１００のいくつかの部分は、ビームフォーミングを使用し得る。例えば、基地局１０５は、基地局１０５がＵＥ１１５とのその通信においてビームフォーミングのために使用し得るアンテナポートのいくつかの行および列を有するアンテナアレイを有し得る。信号は、異なる方向に複数回送信され得る（例えば、各送信は、異なってビームフォーミングされ得る）。ｍｍＷ（ミリメートル波）受信機（例えば、ＵＥ１１５）は、同期信号を受信しつつ複数のビーム（例えば、アンテナサブアレイ）を試し得る。
【００２９】
[0035]  いくつかのケースでは、基地局１０５またはＵＥ１１５のアンテナは、１つまたは複数のアンテナアレイ内に位置し得、それは、ビームフォーミングまたはＭＩＭＯ動作をサポートし得る。１つまたは複数の基地局アンテナまたはアンテナアレイが、アンテナタワーのようなアンテナアセンブリにコロケートされ得る。いくつかのケースでは、基地局１０５に関連するアンテナまたはアンテナアレイは、様々な地理的ロケーションに位置し得る。基地局１０５は、ＵＥ１１５との指向性通信のためのビームフォーミング動作を行うために、複数のアンテナまたはアンテナアレイを使用し得る。
【００３０】
[0036]  いくつかのケースでは、ワイヤレス通信システム１００は、階層化プロトコルスタックにしたがって動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットセグメンテーションおよびリアセンブリを実行し得る。媒体アクセス制御（ＭＡＣ）レイヤは、優先処理とトランスポートチャネルへの論理チャネルの多重化とを実行し得る。ＭＡＣレイヤはまた、ハイブリッドＡＲＱ（ＨＡＲＱ）を使用してＭＡＣレイヤにおける再送信を提供し、リンク効率性を改善し得る。制御プレーンでは、無線リソース制御（ＲＲＣ）プロトコルレイヤは、ユーザプレーンのデータのための無線ベアラをサポートするコアネットワーク１３０、基地局１０５、またはネットワークデバイスとＵＥ１１５との間のＲＲＣ接続の確立、構成、および管理を提供し得る。物理（ＰＨＹ）レイヤにおいて、トランスポートチャネルは、物理チャネルにマッピングされ得る。
【００３１】
[0037]  ＬＴＥまたはＮＲにおける時間インターバルは、（Ｔｓ＝１／３０，７２０，０００秒のサンプリング期間であり得る）基本時間単位の倍数で表され得る。時間リソースは、０〜１０２３の範囲のシステムフレーム番号（ＳＦＮ）によって識別され得る、長さ１０ｍｓ（Ｔｆ＝３０７２００Ｔｓ）の無線フレームにしたがって編成され得る。各フレームは、０から９までの番号が付けされた１０個の１ｍｓサブフレームを含み得る。サブフレームは、２つの０．５ｍｓスロットにさらに分割され得、その各々は、（各シンボルにプリペンドされるサイクリックプレフィックスの長さに応じて）６または７つの変調シンボル期間を含む。サイクリックプレフィックスを除くと、各シンボルは、２０４８個のサンプル期間を含む。いくつかのケースでは、サブフレームは、ＴＴＩ持続時間としても知られている最小スケジューリング単位であり得る。他のケースでは、ＴＴＩ持続時間は、１サブフレームより短いか、または（例えば、短いＴＴＩ持続時間バーストにおいて、または短いＴＴＩ持続時間を使用するコンポーネントキャリア（例えば、ｓＴＴＩ）において）動的に選択され得る。
【００３２】
[0038]  リソースエレメント（resource element）は、１つのシンボル期間および１つのサブキャリア（例えば、１５ＫＨｚ周波数範囲）から構成され得る。リソースブロックは、周波数ドメインには１２個の連続したサブキャリアを、時間ドメイン（１スロット）には、各ＯＦＤＭシンボルにノーマルサイクリックプリフィクスがある場合、７つの連続したＯＦＤＭシンボルを、すなわち８４個のリソースエレメントを含み得る。各リソースエレメントによって搬送されるビットの数は、変調方式（各シンボル期間中に選択され得るシンボルの構成）に依存し得る。ゆえに、ＵＥが受信するリソースブロックが多いほど、および、変調方式が高度であるほど、データレートはより高いであろう。
【００３３】
[0039]  説明の目的上、以下の例および図は、図１のＵＥ１１５および基地局１０５を参照して説明され得るが、本開示の範囲を限定することなく、他のタイプのＵＥまたは基地局が、同じまたは他の例において使用され得る。
【００３４】
[0040]  図２は、短縮送信時間インターバルを含むフレーム構造２００の例を例示する。送信タイムラインは、本明細書では（無線）フレームと呼ばれる単位に区分され得る。フレームｔ−１、ｔ、およびｔ＋１が図示されている。各フレーム２０５は、定義された持続時間（例えば、１０ミリ秒（ｍｓ））を有し得、対応するインデックスを有する定義された数のサブフレーム２１０（例えば、０〜９のインデックスを有する１０個のサブフレーム）に区分され得る。サブフレーム２１０は、アップリンク通信またはダウンリンク通信のために使用され得る。アップリンク通信では、ＵＥ１１５が基地局１０５に送信する。ダウンリンク通信では、基地局１０５がＵＥ１１５に通信する。各サブフレーム２１０は、２つのスロットを含み得、各スロットは、Ｌ個のシンボル期間、例えば、ノーマルサイクリックプレフィックスの場合にはＬ＝７つのシンボル期間または拡張サイクリックプレフィックスの場合にはＬ＝６つのシンボル期間、を含み得る。各サブフレーム内の２Ｌ個のシンボル期間には、０〜２Ｌ−１のインデックスが割り当てられ得る。
【００３５】
[0041]  各サブフレーム２１０の利用可能な時間および周波数リソースは、リソースブロック（ＲＢ：resource block）に区分され得る。各リソースブロックは、１つのスロットにおいてＮ個のサブキャリア（例えば、１２個のサブキャリア）をカバーし得る。各サブキャリアは、特定の周波数帯域幅（例えば、１５キロヘルツ（ｋＨｚ））を占有し得る。１つまたは複数のリソースエレメントが、各シンボル期間において利用可能であり得る。各リソースエレメント（ＲＥ：resource element）は、１つのシンボル期間において１つのサブキャリアをカバーし得、実数値または複素数値であり得る１つの変調シンボルを送るために使用され得る。各シンボル期間において基準信号に使用されないリソースエレメントは、リソースエレメントグループ（ＲＥＧ：resource element group）に配置され得る。各ＲＥＧは、１つのシンボル期間に４つのリソースエレメントを含み得る。
【００３６】
[0042]  ＴＴＩ２１５は、サブフレーム２１０の時間的な持続時間（例えば、１ｍｓ）と呼ばれ得る。ｓＴＴＩ２２０（例えば、２２０−ａ〜２２０−ｄ）は、ＴＴＩ２１５の持続時間より短い持続時間を有し得る。ある例では、ｓＴＴＩ２２０は、１つまたは複数のシンボルを含み得るか、単一のスロットの持続時間に対応し得るか、または同様のものであり得る。ｓＴＴＩは、１スロットに等しい持続時間の場合はスロットＴＴＩと呼ばれ得、１スロット未満の持続時間の場合はサブスロット（sub-slot）ＴＴＩと呼ばれ得る。図示される例では、ｓＴＴＩ２２０−ａは、１つのスロットの持続時間を占有するスロットｓＴＴＩを有し得、各々がサブスロットｓＴＴＩを有するｓＴＴＩ２２０−ｂ、２２０−ｃ、および２２０−ｄは、ひとまとめにして、１つのスロットの持続時間を占有し得る。
【００３７】
[0043]  ＴＴＩ２１５内で送信されるチャネルは、非短縮（non-shortened）ＴＴＩ（またはレガシ（legacy））チャネルと呼ばれ得、ｓＴＴＩ２２０内のチャネルは、ｓＴＴＩ（または短縮）チャネルと呼ばれ得る。いくつかの例では、ＴＴＩ２１５は、ダウンリンクにおいて物理ダウンリンク共有チャネル（ＰＤＳＣＨ：physical downlink shared channel）を、アップリンクにおいて物理アップリンク共有チャネル（ＰＵＳＣＨ：physical uplink shared channel）をトランスポートし得る。ｓＴＴＩ２２０は、ダウンリンクにおいて短縮ＰＤＳＣＨ（ｓＰＤＳＣＨ）を、アップリンクにおいて短縮ＰＵＳＣＨ（ｓＰＵＳＣＨ）をトランスポートし得る。
【００３８】
[0044]  図３は、非短縮ＴＴＩチャネルのＴＢＳ計算のためのＴＢＳテーブル３００の様々な例を例示する。チャネルは、１つまたは複数のトランスポートブロック中でデータをトランスポートし得る。トランスポートブロックは、１つまたは複数のデータユニットを含み得る。トランスポートされるユニットの数は、トランスポートブロックのＴＢＳと呼ばれる。ＴＢＳは、ビット、バイト、または同様のものの単位で表され得、例えば、ＴＢＳは、ＬＴＥシステムについてビットで定義される。ＴＢＳは、トランスポートブロックのために利用可能な（時間、周波数、および／または空間次元を含む）通信リソースの量によって変化し得る。利用可能な通信リソースの量に対するＴＢＳの比は、リソース利用の効率性の尺度（measure）を提供し得る。所与の量のリソースに対するＴＢＳが大きいほど、リソース利用率は高くなるが、通信エラーから保護するために追加される冗長性は少なくなる。チャネル状態、利用可能なリソース、または他の考慮事項に応じて、異なるＴＢＳ値が選択され得る。
【００３９】
[0045]  トランスポートブロックは、このトランスポートブロックのデータが送られることができる１つまたは複数のレイヤにマッピングされ得る。いくつかのケースでは、複数のアンテナを使用して空間次元に複数のレイヤが作成され得る。例えば、２×２ＭＩＭＯシステムは、同じ時間および周波数リソース上に２つの空間レイヤを提供し得る。トランスポートブロックは、２つのレイヤを占有し得る（すなわち、１つが２つのレイヤにマッピングされた）か、または２つのトランスポートブロックの各々は、２つのレイヤのうちの１つのみを別々に占有し得る（すなわち、各々が１つのレイヤにマッピングされた）。
【００４０】
[0046]  ベースラインテーブル３１０は、エントリ３１５として１つまたは複数のＴＢＳ値を含み得る。エントリ３１５は、ＴＢＳインデックス（例えば、Ｉ＿ＴＢＳ）およびＰＲＢインデックス（例えば、トランスポートブロックのための物理リソースブロック（ＰＲＢ：physical resource block）の数を表すＮ＿ＰＲＢ）によってインデックス付けされ得る。同じＰＲＢインデックスについて、異なるＴＢＳインデックスが異なるＴＢＳ値を指し得る。いくつかのケースでは、ＰＲＢインデックスが変化しても、同じＴＢＳインデックスは、ほぼ同じレベルのリソース利用を提供し得る。
【００４１】
[0047]  ベースラインテーブル３１０の例として、Ｉ＿ＴＢＳは０〜２６の範囲であり得、Ｎ＿ＰＲＢは１〜１１０の範囲であり得る。ゆえに、ベースラインテーブル３１０は、２７×１１０のエントリ３１５を有する。エントリ３１５のＴＢＳ値は一般に、Ｉ＿ＴＢＳまたはＮ＿ＰＲＢとともに増加し得る。いくつかのケースでは、ＴＢＳ値は、バイト単位でアラインされている（byte-aligned）、すなわち、８の倍数（１バイト＝８ビット）である。
【００４２】
[0048]  ベースラインテーブル３１０は、１つのレイヤにマッピングされたトランスポートブロックのＴＢＳを計算するために使用され得る。ルックアップ動作３２０によって例示されるように、トランスポートブロックのＴＢＳは、（Ｉ＿ＴＢＳ，Ｎ＿ＰＲＢ）ペアによってインデックス付けされたベースラインテーブル３１０内の対応するエントリ３１５によって与えられ、ここにおいて、トランスポートブロックは、Ｉ＿ＴＢＳが割り当てられ、Ｎ＿ＰＲＢ個のＲＢを有する。
【００４３】
[0049]  ベースラインテーブル３１０はまた、複数の（Ｍ個の）（Ｍ＞１）レイヤにマッピングされたトランスポートブロックのＴＢＳを計算するために使用され得る。利用可能なリソースの数は一般に、レイヤの数に比例して増加し得る。所与のＴＢＳインデックスについて、利用可能なリソースの数はまた、一般に、ＰＲＢインデックスに比例して増加し得る。いくつかのシナリオでは、ベースラインテーブル３１０は、追加のテーブルを使用することなく、増加したレイヤに適応（accommodate）し得る。Ｍレイヤにマッピングされたトランスポートブロックは、Ｉ＿ＴＢＳが割り当てられ、Ｎ＿ＰＲＢ個のＰＲＢを有すると考慮する。Ｎ＿ＰＲＢにＭを乗じたものがベースラインテーブル３１０の最大ＰＲＢインデックス（例えば、１１０）を超えない場合、トランスポートブロックのＴＢＳは、（Ｉ＿ＴＢＳ，Ｍ×Ｎ＿ＰＲＢ）によってインデックス付けされたベースラインテーブル３１０のＴＢＳ値によって与えられ得る。
【００４４】
[0050]  ベースラインテーブル３１０がＮ＿ＰＲＢのＭ倍増加した値に適応することができないとき、ＴＢＳを計算するために、変換テーブル３３０がベースラインテーブル３１０とともに使用され得る。例えば、Ｎ＿ＰＲＢが６０に等しく、Ｍが２に等しい場合、Ｍ×Ｎ＿ＰＲＢ、これは１２０である、は、ベースラインテーブルのＰＲＢインデックスの範囲（例えば、１〜１１０）を超え得る。そのようなケースでは、ＴＢＳ計算はまず、あたかもトランスポートブロックが複数のレイヤではなく１つのレイヤにマッピングされたかのように（ＴＢＳ＿Ｌ１によって表される）ベースラインサイズを生成するために、ベースラインテーブル３１０を使用する。例えば、ＴＢＳ＿Ｌ１は、トランスポートブロックのＴＢＳインデックス（Ｉ＿ＴＢＳ）およびＰＲＢインデックス（Ｎ＿ＰＲＢ）によってインデックス付けされたベースラインテーブル３１０の対応するエントリ３１５によって与えられ得る。
【００４５】
[0051]  次いで、変換テーブル３３０は、ベースラインテーブル３１０からのベースラインサイズ（ＴＢＳ＿Ｌ１）を、Ｍ個のレイヤにマッピングされたトランスポートブロックのＴＢＳ値（ＴＢＳ＿ＬＭによって表される）にマッピングする。変換テーブル３３０は、エントリ３３５として１つまたは複数のＴＢＳ値を含み得、エントリ３３５は、ＴＢＳ＿Ｌ１値によってインデックス付けされ得る。変換動作３４０によって例示されるように、ＴＢＳ＿Ｌ１が計算された後、トランスポートブロックのＴＢＳが、変換テーブル３３０中のＴＢＳ＿Ｌ１によってインデックス付けされた対応するＴＢＳ＿ＬＭ値によって与えられ得る。
【００４６】
[0052]  ベースラインテーブル３１０および変換テーブル３３０はともに、非短縮チャネルまたはレガシチャネルのためのＴＢＳ計算メカニズムを提供する。レガシシステムおよびインプリメンテーションは、これらのテーブルに基づいて設計および／または最適化され得る。例えば、ターボ符号インターリーバは、これらのテーブルのＴＢＳ値に対応する固定サイズを有し得る。ｓＴＴＩチャネルのためのＴＢＳ計算をサポートするために、ベースラインテーブル３１０および変換テーブル３３０を再使用することが有益であり得る。
【００４７】
[0053]  ＬＴＥシステムのコンテキストにおける実例となる例として、ベースラインテーブル３１０は、第３世代パートナーシッププロジェクト（３ＧＰＰ（登録商標））技術仕様書シリーズ３６．２１３（ＬＴＥリリース８またはそれ以降）において定義されているテーブル７．１．７．２．１−１であり得、変換テーブル３３０は、２つのレイヤのためのテーブル７．１．７．２．２−１（または、３つのレイヤのためのテーブル７．１．７．２．４−１もしくは４つのレイヤのためのテーブル７．１．７．２．５−１）であり得る。
【００４８】
[0054]  図４は、ｓＴＴＩチャネルのためのＴＢＳを計算する方法４００の例を例示する。方法４００は、元々はレガシチャネルのためのものであったベースラインテーブルおよび変換テーブルを、比較的少ない数のリソース（例えば、時間期間におけるシンボル）を有し得るｓＴＴＩチャネルに適応させ得る。ＵＥ１１５、基地局１０５、またはその中のコンポーネントは、ｓＴＴＩチャネル（例えば、ｓＰＤＳＣＨまたはｓＰＵＳＣＨ）のための１つまたは複数のレイヤにマッピングされたトランスポートブロックのＴＢＳを決定するために方法４００を実行し得る。ＴＢＳ計算は、送信機と受信機との間でレガシチャネルまたはｓＴＴＩチャネルを処理するために、送信機と受信機との両方において同様の方法でインプリメントされ得る。
【００４９】
[0055]  ブロック４１０において、初期サイズが、少なくともベースラインテーブルを使用して決定され得る。ベースラインテーブルに加えて、レガシチャネルのためのＴＢＳ計算はまた、例えば、図３を参照して上で説明されたような変換テーブルを使用し得る。ベースラインテーブルおよび変換テーブルは、図３を参照して説明されたベースラインテーブル３１０および変換テーブル３３０の例であり得る。いくつかの例では、ベースラインテーブルは単独で、１つのレイヤにマッピングされたトランスポートブロックの、またはいくつかのシナリオでは、複数のレイヤにマッピングされたトランスポートブロックのＴＢＳ値を提供し得る。他のシナリオでは、１つより多くのレイヤにマッピングされたトランスポートブロックのＴＢＳ値を提供するために、変換テーブルが、ベースラインテーブルとともに使用され得る。変換テーブルは、ベースラインテーブルからのベースラインサイズを、複数のレイヤにマッピングされたトランスポートブロックのＴＢＳにマッピングし得る。ベースラインテーブルおよび変換テーブルは、トランスポートブロックが使用することができるすべての有効なＴＢＳ値を含み得る。
【００５０】
[0056]  初期サイズは、あたかもトランスポートブロックが、同じＴＢＳインデックスおよびチャネル帯域幅（例えば、割り振られたＰＲＢの数によって測定される）であるが、時間的により長い送信持続時間を有する対応する非短縮チャネルのためのものであるかのように決定され得る。しかしながら、ｓＴＴＩチャネルのより短い送信時間インターバルは、データ送信のためのより少ない数のシンボルを提供し得る。例えば、レガシＰＤＳＣＨは、１サブフレーム中に１３個以上のデータ（ＯＦＤＭ）シンボルを有し得るが、ｓＰＤＳＣＨは、スロットｓＴＴＩの場合７つを超えるシンボルを有さず、またはサブスロットｓＴＴＩの場合３つを超えるシンボルを有さないであろう。
【００５１】
[0057]  ブロック４２０において、初期サイズは、ｓＴＴＩチャネルに関連する係数によってスケーリングされ得る。スケーリング係数（scaling factor）は、非短縮ＴＴＩに対するｓＴＴＩの長さに基づいて選ばれ得る。例えば、ダウンリンクチャネルのためのスケーリング係数は、スロットｓＴＴＩチャネルの場合１／２であり、またはサブスロットｓＴＴＩチャネルの場合１／６であり得、アップリンクチャネルのためのスケーリング係数は、スロットｓＴＴＩチャネルの場合１／２であり、サブスロットｓＴＴＩチャネルの場合１／６であり、または１つのデータシンボルのみを含むサブスロットｓＴＴＩチャネルの場合１／１２であり得る。
【００５２】
[0058]  スケーリングの後、スケーリングされたサイズは非整数値であり得、スケーリングされたサイズが整数値であったとしても、ベースラインテーブルまたは変換テーブルの任意のＴＢＳ値またはエントリと正確には一致しないであろう。より新しいｓＴＴＩチャネルのトランスポートブロックが、レガシシステムによってサポートされる既存のＴＢＳ値を再使用することができるように、スケーリングされたサイズをベースラインテーブルまたは変換テーブル中の適切なエントリに丸めることが有益であり得る。
【００５３】
[0059]  一例では、トランスポートブロックが１つのレイヤにマッピングされた場合、ベースラインテーブルが選択されるが、トランスポートブロックが１つより多くの（Ｍ＞１）レイヤにマッピングされた場合、スケーリングされたサイズの値にかかわらず、Ｍ個のレイヤに対応する変換テーブルが選択される。しかしながら、いくつかの変換テーブルは、そのテーブルエントリの中で比較的大きい最小ＴＢＳ値を有し得、スケーリングされたサイズは、最小ＴＢＳ値より実質的に小さいであろう。このケースでは、変換テーブルからＴＢＳ値を選ぶことは問題を含み得る。例えば、先に参照したＬＴＥテーブル７．１．７．２．２−１、テーブル７．１．７．２．４−１、テーブル７．１．７．２．５−１はすべて、（変換された）ＴＢＳ値として最低値３１１２を有する。
【００５４】
[0060]  ５０個のＲＢ（Ｎ＿ＰＲＢ＝５０）および２６ＡのＴＢＳインデックス（Ｉ＿ＴＢＳ＝２６Ａ）を有する２レイヤ（Ｍ＝２）サブスロットｓＰＤＳＣＨを考慮する。（ベースラインテーブルのＰＲＢインデックスが１〜１１０の範囲であると仮定して）Ｎ＿ＰＲＢが５５個以下である場合、非短縮チャネルのための２レイヤのＴＢＳは、ベースラインテーブルの（Ｉ＿ＴＢＳ＝２６Ａ，２Ｎ＿ＰＲＢ＝１００）エントリであり、それはＴＢＳ値６６５９２を有し得る。ゆえに、初期サイズは６６５９２である。１／６（サブスロットｓＰＤＳＣＨに関連するスケーリング係数）でスケーリングした後、スケーリングされたサイズは１１０９８．６６（すなわち、６６５９２／６）である。変換テーブルからのＴＢＳ値１１０６４は、スケーリングされたサイズの比較的近い近似値であるように見え得る。（ＴＢＳ値１１０６４は、元々は、変換テーブルにおけるＴＢＳ＿Ｌ１値５５４４によってインデックス付けされたＴＢＳ＿Ｌ２エントリであり得る。）
[0061]  ここで、１２個のＲＢ（Ｎ＿ＰＲＢ＝１２）および４のＴＢＳインデックス（Ｉ＿ＴＢＳ＝４）を有する２レイヤ（Ｍ＝２）サブスロットｓＰＤＳＣＨを考慮する。初期サイズは、ＴＢＳ値１７３６を有し得る、ベースラインテーブルの（Ｉ＿ＴＢＳ＝４，２Ｎ＿ＰＲＢ＝２×１２＝２４）エントリによって与えられる。したがって、スケーリングされたサイズは２８９．３（１７３６／６）である。しかしながら、変換テーブルは、最小ＴＢＳ値３１１２を有し得、それは、スケーリングされたサイズより実質的に大きいであろう（このケースにあるように、３１１２は、２８９．３の２倍より大きい）。１２個のＲＢを有するサブスロットｓＴＴＩは、データ送信のために多くても５７６個のコード化ビットを搬送し得る。ゆえに、トランスポートブロックのＴＢＳが３１１２または変換テーブル中の任意の他のＴＢＳ値になるように選ばれた場合、結果として生じる送信は、１より大きいコーディングレートを有する、すなわち、送信すべきビットが、チャネルリソースがサポートすることができるより多く存在するであろう。
【００５５】
[0062]  ブロック４３０において、ベースラインテーブルか変換テーブルのいずれか、またはそれらの組合せからテーブルが選択され得る。いくつかのケースでは、テーブル選択においてスケーリングされたサイズの値を考慮することにより、上で説明した問題を回避することができる。スケーリングされたサイズは、しきい値と比較され得る。しきい値は、例えば、変換テーブルの最小ＴＢＳ値（例えば、前の例では３１１２）である、変換テーブルのＴＢＳ値に依存し得る。
【００５６】
[0063]  一態様では、スケーリングされたサイズがしきい値より小さい場合、ベースラインテーブルが選択され得る。そのようなケースでは、ＴＢＳ計算は、変換テーブルに対して小さいスケーリングされたサイズを生成し得るいくつかのＴＢＳおよびＰＲＢインデックスの組合せのために変換テーブルを使用するのを避け得る。いくつかのインプリメンテーションでは、スケーリングされたサイズがしきい値以上である場合、１つのレイヤにマッピングされたトランスポートブロックのためにベースラインテーブルが選択され得、そうでない場合、変換テーブルが選択され得る。
【００５７】
[0064]  別の態様では、スケーリングされたサイズがしきい値より大きい場合、ベースラインテーブルまたは変換テーブルは、ｓＴＴＩチャネルのトランスポートブロックがマッピングされたレイヤの数に応じて選択され得る。例えば、スケーリングされたサイズがしきい値より大きい場合、トランスポートブロックが１つのレイヤにマッピングされると、ベースラインテーブルが選択され、トランスポートブロックがＭ個（Ｍ＞１）のレイヤにマッピングされると、Ｍ個のレイヤに関連する変換テーブルが選択される。
【００５８】
[0065]  さらに別の態様では、スケーリングされたサイズがしきい値より大きい場合、かつ、変換テーブルが初期サイズを決定するために使用される場合、変換テーブルが選択され得る。いくつかのケースでは、ベースラインテーブルのＴＢＳ値は、変換テーブルのＴＢＳ値より細かい粒度を有し得る。選択されたテーブルのＴＢＳ値におけるより細かい粒度は、スケーリングされたサイズのより近い近似値を提供し得る。インプリメンテーションは、特に、変換テーブルが初期サイズを決定するために使用されない場合、例えば、ベースラインテーブルが、ＭレイヤにマッピングされたトランスポートブロックのためのＰＲＢインデックスのＭ倍の増加に適応し得るとき、ベースラインテーブルを選好し得る。
【００５９】
[0066]  いくつかの設計では、ベースラインテーブルと１つまたは複数の変換テーブルとの組合せが選択され得る。特に、ベースラインテーブルと変換テーブルとのユニオンは、ｓＴＴＩチャネルのトランスポートブロックがマッピングされたレイヤの数に基づいて選択され得る。一例では、複合テーブル（例えば、テーブルのユニオン）は、ベースラインテーブル（例えば、ＬＴＥテーブル７．１．７．２．１−１）、および、いくつのレイヤにトランスポートブロックがマッピングされたかにかかわらず、システムによってサポートされる様々な複数のレイヤのためのすべての変換テーブル（例えば、それぞれ２、３、および４つのレイヤのためのＬＴＥテーブル７．１．７．２．２−１、テーブル７．１．７．２．４−１、およびテーブル７．１．７．２．５−１）のいくつかまたはすべてのＴＢＳ値を含み得る。（選択が、トランスポートブロックがマッピングされたレイヤの数に依存する）別の例では、複合テーブル（例えば、テーブルのユニオン）は、トランスポートブロックがＭ個のレイヤにマッピングされたとき、ベースラインテーブルおよびＭ個のレイヤのための変換テーブルのいくつかのまたはすべてのＴＢＳ値を含み得る。例えば、トランスポートブロックが３つのレイヤにマッピングされた場合、対応するテーブル７．１．７．２．４−１が、テーブル７．１．７．２．１−１と組み合わされ得る。一般に、複合テーブルは、ベースラインテーブルと、トランスポートブロックがマッピングされたレイヤの数に関連する特定の変換テーブルとから生成され得る。
【００６０】
[0067]  ＬＴＥコンテキストにおける実例となる例として、ダウンリンクテーブルのためのＴＢＳは、テーブル７．１．７．２．２−１（２つのレイヤのための変換テーブル）、テーブル７．１．７．２．４−１（３つのレイヤのための変換テーブル）、テーブル７．１．７．２．５−１（４つのレイヤのための変換テーブル）、およびテーブル７．１．２．１．１（ベースラインテーブル）を含むＬＴＥレガシＴＢＳテーブルに基づいて計算され得る。この例では、ｓＴＴＩチャネルのためのスケーリングされたトランスポートブロックサイズは、レイヤの数に応じて、複合テーブルのエントリに量子化または丸められ得る。ベースラインテーブル（例えば、テーブル７．１．７．２．１−１）と変換テーブル（例えば、２つのレイヤのためのテーブル７．１．７．２．２−１、３つのレイヤのためのテーブル７．１．７．２．４−１、または４つのレイヤのためのテーブル７．１．７．２．５−１）とのユニオンが、レイヤのそれぞれの数のための「複合テーブル（combined table）」を構成する。より具体的には、（例えば、ＤＣＩフォーマット７−１Ａ／７−１Ｂ／７−１Ｃ／７−１Ｄ／７−１Ｅ／７−１Ｆ／７−１Ｇによってスケジュールされる）ダウンリンクｓＴＴＩチャネルについて、（例えば、トランスポートブロックが１つより多くの空間レイヤにマッピングされたときにベースラインテーブルまたは追加的に変換テーブルを使用して決定される）トランスポートブロックの初期サイズは、（スロット＿ＰＤＳＣＨまたはサブスロット＿ＰＤＳＣＨのための）スケーリング係数αによってスケーリングされ、次いで、以下において、最も近い有効トランスポートブロックサイズに丸められる：
[0068]  −−トランスポートブロックが１つの空間レイヤにマッピングされるとき、テーブル７．１．７．２．１−１、
[0069]  −−トランスポートブロックが２つの空間レイヤにマッピングされるとき、テーブル７．１．７．２．１−１とテーブル７．１．７．２．２−１とのユニオン、
[0070]  −−トランスポートブロックが３つの空間レイヤにマッピングされるとき、テーブル７．１．７．２．１−１とテーブル７．１．７．２．４−１とのユニオン、
[0071]  −−トランスポートブロックが４つの空間レイヤにマッピングされるとき、テーブル７．１．７．２．１−１とテーブル７．１．７．２．５−１とのユニオン。
【００６１】
[0072]  スケーリングされたＴＢＳが２つの有効なトランスポートブロックサイズに最も近い場合、それは、大きい方のトランスポートブロックサイズに丸められる。
【００６２】
[0073]  上の例はダウンリンクｓＴＴＩチャネルについて説明しているが、同様の設計は、アップリンクｓＴＴＩチャネルに適用可能であり、本開示の範囲内である。
【００６３】
[0074]  ＴＢＳテーブルの選択はまた、スケーリングされたサイズに依存し得、追加的にまたはオプションとして、レイヤの数に依存し得る。実例となる例として、ダウンリンクｓＴＴＩチャネルのためのＴＢＳは、テーブル７．１．７．２．２−１（２つのレイヤのための変換テーブル）、テーブル７．１．７．２．４−１（３つのレイヤのための変換テーブル）、テーブル７．１．７．２．５−１（４つのレイヤのための変換テーブル）、およびテーブル７．１．２．１．１（ベースラインテーブル）を含むＬＴＥレガシＴＢＳテーブルに基づいて計算され得る。ｓＴＴＩチャネルのダウンリンクスケジューリングに関連するダウンリンク制御情報（ＤＣＩ：downlink control information）フォーマット、例えば、フォーマット７−１Ａ／７−１Ｂ／７−１Ｃ／７−１Ｄ／７−１Ｅ／７−１Ｆ／７−１Ｇの場合、初期サイズ（またはレガシＴＢＳ計算によって導出されたトランスポートブロックサイズ）は、スケーリング係数α（例えば、スロットベースのＰＤＳＣＨの場合は１／２またはサブスロットベースのＰＤＳＣＨの場合は１／６）によってスケーリングされ、次いで、以下のうちの１つにおける最も近い有効トランスポートブロックサイズに丸められ得る（
【００６４】
【数１】
2021514142.tif 000003
【００６５】
はダウンリンクリソースブロックの数を表す）：
[0075]  −−トランスポートブロックが１つの空間レイヤにマッピングされるとき、テーブル７．１．７．２．１−１、
[0076]  −−トランスポートブロックが２つの空間レイヤにマッピングされ、かつ、
【００６６】
【数２】
2021514142.tif 000004
【００６７】
であるかまたはスケーリングされたＴＢＳが３１１２より小さいかのいずれかであるときは、テーブル７．１．７．２．１−１、そうではない場合で、トランスポートブロックが２つの空間レイヤにマッピングされるときは、テーブル７．１．７．２．２−１、
[0077]  −−トランスポートブロックが３つの空間レイヤにマッピングされ、かつ、
【００６８】
【数３】
2021514142.tif 000005
【００６９】
であるかまたはスケーリングされたＴＢＳが３１１２より小さいかのいずれかであるときは、テーブル７．１．７．２．１−１、そうではない場合で、トランスポートブロックが３つの空間レイヤにマッピングされるときは、テーブル７．１．７．２．４−１、
[0078]  −−トランスポートブロックが４つの空間レイヤにマッピングされ、かつ、
【００７０】
【数４】
2021514142.tif 000006
【００７１】
であるかまたはスケーリングされたＴＢＳが３１１２より小さいかのいずれかであるときは、テーブル７．１．７．２．１−１、そうではない場合で、トランスポートブロックが４つの空間レイヤにマッピングされるときは、テーブル７．１．７．２．５−１。
【００７２】
[0079]  ２つの有効なＴＢＳ値が最も近い場合、大きい方のＴＢＳ値が選択される。
【００７３】
[0080]  別の実例となる例として、アップリンクｓＴＴＩチャネルのためのＴＢＳは、ＬＴＥレガシテーブルに基づいて計算され得る。ｓＴＴＩチャネルのアップリンクスケジューリングに関連するＤＣＩフォーマット、例えば、ＤＣＩフォーマット７−０Ａ／Ｂの場合、初期サイズ（またはレガシＴＢＳ計算によって導出されたトランスポートブロックサイズ）は、スケーリング係数α（例えば、スロットベースのＰＵＳＣＨの場合は１／２、サブスロット内に１つのデータシンボルを有するサブスロットベースのＰＵＳＣＨの場合は１／１２、またはサブスロット内に２つのデータシンボルを有するサブスロットベースのＰＵＳＣＨの場合は１／６）によってスケーリングされ、次いで、以下のうちの１つにおける最も近い有効トランスポートブロックサイズに丸められ得る（
【００７４】
【数５】
2021514142.tif 000007
【００７５】
はアップリンクリソースブロックの数を表す）：
[0081]  −−トランスポートブロックが１つの空間レイヤにマッピングされるとき、テーブル７．１．７．２．１−１、
[0082]  −−トランスポートブロックが２つの空間レイヤにマッピングされ、かつ、
【００７６】
【数６】
2021514142.tif 000008
【００７７】
であるかまたはスケーリングされたＴＢＳが３１１２より小さいかのいずれかであるときは、テーブル７．１．７．２．１−１、そうではない場合で、トランスポートブロックが２つの空間レイヤにマッピングされるときは、テーブル７．１．７．２．２−１、
[0083]  −−トランスポートブロックが３つの空間レイヤにマッピングされ、かつ、
【００７８】
【数７】
2021514142.tif 000009
【００７９】
であるかまたはスケーリングされたＴＢＳが３１１２より小さいかのいずれかであるときは、テーブル７．１．７．２．１−１、そうではない場合で、トランスポートブロックが３つの空間レイヤにマッピングされるときは、テーブル７．１．７．２．４−１、
[0084]  −−トランスポートブロックが４つの空間レイヤにマッピングされ、かつ、
【００８０】
【数８】
2021514142.tif 000010
【００８１】
であるかまたはスケーリングされたＴＢＳが３１１２より小さいかのいずれかであるときは、テーブル７．１．７．２．１−１、そうではない場合で、トランスポートブロックが４つの空間レイヤにマッピングされるときは、テーブル７．１．７．２．５−１。
【００８２】
[0085]   ２つの有効なＴＢＳ値が最も近い場合には、大きい方のＴＢＳ値が選択される。
【００８３】
[0086]  ブロック４４０において、スケーリングされたサイズは、選択されたテーブルのＴＢＳ値に丸められ得る。選択されたテーブルのＴＢＳ値のセットが決定され得る。セットは、選択されたテーブルのＴＢＳ値のすべてまたはサブセットを含み得る。いくつかの例では、セットは、同じＴＢＳインデックスに対応するベースラインテーブルのＴＢＳ値に制限され得る。そのような制限は、ＴＢＳインデックスに対応するリソース利用をほぼ同じレベルで維持するのに役立ち得る。
【００８４】
[0087]  丸め演算は、ＴＢＳ値の決定されたセットに関して実行され得る。一態様では、セットのすべてのＴＢＳ値の中でスケーリングされたサイズに最も近いＴＢＳ値がセットから選ばれ得る。最も近い値への丸め（closest-value rounding）は、スケーリングされたサイズとｓＴＴＩチャネルのためのＴＢＳとの間の偏差を低減するのに役立ち得、それによって、スケーリング係数によって表されるＴＢＳの比例的な低減を維持する。別の態様では、スケーリングされたサイズ以下であるすべてのＴＢＳ値の中でスケーリングされたサイズに最も近いＴＢＳ値がセットから選ばれ得る。最も近くより小さい値への丸め（closest-smaller-value rounding）は、選ばれたＴＢＳ値がスケーリングされたサイズを超えないことを確実にするため、丸め（rounding）によりコーディングレート（coding rate）が増加するのを回避するのに役立ち得る。
【００８５】
[0088]  丸め中にタイ（tie）が発生し得、例えば、２つの異なるＴＢＳ値は、スケーリングされたサイズに同程度に近い可能性がある。インプリメンテーションは、２つのＴＢＳ値のうちのいずれか１つを丸められる値として選び得る。いくつかのケースでは、スケーリングされたサイズは、タイが発生したとき、２つの値のうちの大きい方に丸められ得る。例えば、１９２であるスケーリングされたサイズが２つの異なるＴＢＳ値（１７６および２０８）に同程度に最も近い、すなわち、１９２が１７６と２０８との間の中間点である、と想定すると、スケーリングされたサイズは、２つのＴＢＳ値（１７６および２０８）のうちの大きい方である２０８に丸められ得る。
【００８６】
[0089]  図５は、ｓＴＴＩチャネルのためのＴＢＳ計算をサポートする装置５００の例を例示する。装置５００は、受信機５１０と、送信機５２０と、ＴＢＳ計算ロジック（computation logic）５１５とを含み得る。装置５００は、図４を参照して説明された方法４００の様々な態様を実行し得る。装置５００は、ＵＥ１１５または基地局１０５によって具現化され得るか、またはそれらの中に存在し得る。例えば、ＵＥ１１５は、ｓＰＵＳＣＨを符号化するためまたはｓＰＤＳＣＨを復号するためのトランスポートブロックのＴＢＳを計算し得る。相応して、基地局１０５は、ｓＰＵＳＣＨを復号するためまたはｓＰＤＳＣＨを符号化するためのトランスポートブロックのＴＢＳを計算し得る。
【００８７】
[0090]  受信機５１０は、パケット、ユーザデータ、または様々な情報チャネルに関連する制御情報のような情報を受信し得る。情報は、装置の他のコンポーネントへと伝えられ得る。受信機５１０は、単一のアンテナまたは複数のアンテナのセットを利用し得る。いくつかの点では、受信機５１０は、ＵＥ１１５によるｓＰＤＳＣＨまたは基地局１０５によるｓＰＵＳＣＨのような、ｓＴＴＩチャネルのトランスポートブロックを受信し得る。トランスポートブロックは、１つまたは複数のレイヤにマッピングされ得る。
【００８８】
[0091]  送信機５２０は、装置の他のコンポーネントによって生成された信号を送信し得る。いくつかの例では、送信機５２０は、トランシーバモジュールにおいて受信機５１０とコロケートされ得る。送信機５２０は、単一のアンテナまたは複数のアンテナのセットを利用し得る。いくつかの点では、送信機５２０は、ＵＥ１１５によるｓＰＵＳＣＨまたは基地局１０５によるｓＰＤＳＣＨのような、ｓＴＴＩチャネルのトランスポートブロックを送信し得る。トランスポートブロックは、１つまたは複数のレイヤにマッピングされ得る。
【００８９】
[0092]  ＴＢＳ計算ロジック５１５は、ベースバンドモデムまたはアプリケーションプロセッサであり得るか、またはベースバンドもしくはアプリケーションプロセッサの態様を例示し得る。ＴＢＳ計算ロジック５１５またはその様々なサブコンポーネントのうちの少なくともいくつかは、ハードウェア、プロセッサによって実行されるソフトウェア、ファームウェア、またはそれらの任意の組合せでインプリメントされ得る。プロセッサによって実行されるソフトウェアでインプリメントされる場合、ＴＢＳ計算ロジック５１５またはその様々なサブコンポーネントのうちの少なくともいくつかの機能は、汎用プロセッサ、ＤＳＰ、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェアコンポーネント、または本開示で説明された機能を実行するように設計されたそれらの任意の組合せによって実行され得る。ソフトウェアは、上で説明されたプロセスに接続されているかまたはそれと通信するメモリまたは同様の媒体に記憶されたコードまたは命令を備え得る。コードまたは命令は、プロセッサ、装置５００、またはそれらの１つまたは複数のコンポーネントに、本明細書で説明された様々な機能を実行させ得る。
【００９０】
[0093]  ＴＢＳ計算ロジック５１５またはその様々なサブコンポーネントのうちの少なくともいくつかは、様々な位置に物理的に配置され得、これには、機能の部分が１つまたは複数の物理デバイスによって異なる物理的ロケーションにインプリメントされるように分散されることが含まれる。いくつかの例では、ＴＢＳ計算ロジック５１５またはその様々なサブコンポーネントのうちの少なくともいくつかは、別個のおよび異なるコンポーネントであり得る。他の例では、ＴＢＳ計算ロジック５１５またはその様々なサブコンポーネントのうちの少なくともいくつかは、本開示の様々な態様による、Ｉ／Ｏコンポーネント、トランシーバ、サーバ、別のコンピューティングデバイス、本開示で説明された１つもしくは複数の他のコンポーネント、またはそれらの組合せを含むがそれらに限定されない、１つまたは複数の他のハードウェアコンポーネントと組み合わされ得る。
【００９１】
[0094]  ＴＢＳ計算ロジック５１５は、ＴＢＳテーブル５２５と、レガシＴＴＩモジュール５３０と、ｓＴＴＩモジュール５３５とを含み得る。これらのコンポーネントは、協力して、ｓＴＴＩチャネルのためのＴＢＳ計算を実行し得、例えば、図４を参照して説明された方法４００をインプリメントする。
【００９２】
[0095]  ＴＢＳテーブル５２５は、例えば、図３を参照して説明されたように、ベースラインテーブルおよび変換テーブルを含み得る。ＴＢＳテーブル５２５の１つまたは複数のエントリは、レガシＴＴＩモジュール５３０およびｓＴＴＩモジュール５３５によってアクセス可能なメモリに記憶され得る。いくつかの例では、テーブルルックアップ動作が、ハードウェア、ファームウェア、またはソフトウェアにおいて全体的または部分的にインプリメントされ得る。
【００９３】
[0096]  レガシＴＴＩモジュール５３０は、レガシチャネルのためのＴＢＳを計算するようにおよびｓＴＴＩチャネルのための初期サイズを提供するように構成され得る。初期サイズは、ベースラインテーブルを通してまたは変換テーブルとともに決定され得る。
【００９４】
[0097]  ｓＴＴＩモジュール５３５は、ｓＴＴＩチャネルに関連する係数によって初期サイズをスケーリングすること、ベースラインテーブルか変換テーブルのいずれか、またはそれらの組合せを選択すること、および／またはスケーリングされたサイズを選択されたテーブルのＴＢＳ値に丸めることを行うように構成され得る。いくつかの例では、ｓＴＴＩモジュールはまた、ＴＢＳテーブル５２５を使用してベースラインサイズを生成するためにレガシＴＢＳを計算し得る。
【００９５】
[0098]  一態様では、ｓＴＴＩモジュール５３５は、例えば、図４を参照して説明されたように、ｓＴＴＩチャネルのトランスポートブロックがマッピングされたレイヤの数に基づいて、ベースラインテーブルと変換テーブルとのユニオンを選択するように構成され得る。
【００９６】
[0099]  別の態様では、ｓＴＴＩモジュール５３５は、スケーリングされたサイズをしきい値と比較し、次いで、スケーリングされたサイズがしきい値より小さいか、または代替的に大きいか、に基づいてテーブルを選択するように構成され得る。例えば、スケーリングされたサイズがしきい値より小さい場合、ベースラインテーブルが選択され得、スケーリングされたサイズがしきい値より大きい場合、かつ、変換テーブルが初期サイズを決定するために使用される場合、変換テーブルが選択される。
【００９７】
[0100]  スケーリングされたサイズは、選択されたテーブルのＴＢＳ値のすべてまたはサブセットに関して丸められ得る。一態様では、ＴＢＳ値のセットが決定され得る。スケーリングされたサイズは、セット中の最も近い値、またはセット中の最も近くより小さい値に丸められ得る。スケーリングされたサイズは、スケーリングされたサイズに同程度に最も近い２つの異なる値のうちの大きい方に丸められ得る。
【００９８】
[0101]  図６は、例として、本開示にしたがって、ｓＴＴＩチャネルのためのＴＢＳ計算をサポートするデバイス６００を例示する。デバイス６００は、図５を参照して説明された装置５００の様々な態様を具現化し得る、ＵＥ１１５、または基地局１０５、またはそれらのコンポーネントの例であり得る。デバイス６００は、ＴＢＳ計算ロジック６１０と、プロセッサ６２０と、メモリ６３０と、ソフトウェア６３５と、トランシーバ６４０と、アンテナ６４５と、Ｉ／Ｏコントローラ６５０とを備え得る。これらのコンポーネントは、１つまたは複数のバス（例えば、バス６０５）を介して結合されるか、または電子通信し得る。
【００９９】
[0102]  ＴＢＳ計算ロジック６１０は、ｓＴＴＩチャネルのためのＴＢＳ計算をサポートする様々な機能を実行し得る。例えば、ＴＢＳ計算ロジック６１０は、少なくともベースラインテーブルを使用して初期サイズを決定すること、ｓＴＴＩチャネルに関連する係数によって初期サイズをスケーリングすること、ベースラインテーブルか変換テーブルのいずれか、またはそれらの組合せからテーブルを選択すること、および／またはスケーリングされたサイズを選択されたテーブルのＴＢＳ値に丸めることを行うように構成され得る。いくつかの例では、ＴＢＳ計算ロジック６１０は、図５を参照して説明されたＴＢＳ計算ロジック５１５をインプリメントし得る。一般的に言えば、ＴＢＳ計算ロジック６１０は、その機能性を実行するためにプロセッサ６２０およびメモリ６３０を利用し得る。
【０１００】
[0103]  プロセッサ６２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、ディスクリートゲートもしくはトランジスタ論理コンポーネント、ディスクリートハードウェアコンポーネント、またはそれらの任意の組合せ）を含み得る。いくつかのケースでは、プロセッサ６２０は、メモリコントローラを使用してメモリアレイを動作するように構成され得る。他のケースでは、メモリコントローラは、プロセッサ６２０に統合され得る。プロセッサ６２０は、様々な機能を実行するために、メモリ（例えば、メモリ６３０）に記憶されたコンピュータ読取可能な命令（例えば、ソフトウェア６３５）を実行するように構成され得る。
【０１０１】
[0104]  メモリ６３０は、ランダムアクセスメモリ（ＲＡＭ）および／または読取専用メモリ（ＲＯＭ）を含み得る。いくつかのケースでは、メモリ６３０は、とりわけ、周辺コンポーネントまたはデバイスとのインタラクションのような基本ハードウェアまたはソフトウェア動作を制御し得る基本入出力システム（ＢＩＯＳ）を含み得る。メモリ６３０は、実行されると、本明細書で説明された様々な機能をプロセッサ６２０（または一般にデバイス６００）に実行させる命令を含むコンピュータ読取可能でコンピュータ実行可能なソフトウェア６３５を記憶し得る。
【０１０２】
[0105]  ソフトウェア６３５は、例えば、図４および図５を参照して説明された本開示の態様をインプリメントするコードを含み得る。例えば、ソフトウェア６３５は、少なくともベースラインを使用して初期サイズを決定するためのコード、ｓＴＴＩチャネルに関連する係数によって初期サイズをスケーリングするためのコード、ベースラインテーブルか変換テーブルのいずれか、またはそれらの組合せからテーブルを選択するためのコード、および／またはスケーリングされたサイズを選択されたテーブルのＴＢＳ値に丸めるためのコードを含み得る。ソフトウェア６３５は、システムメモリまたは他のメモリのような非一時的なコンピュータ読取可能な媒体に記憶され得る。いくつかのケースでは、ソフトウェア６３５は、プロセッサによって直接実行可能ではないが、（例えば、コンパイルされ、実行されると）本明細書で説明された機能をコンピュータに実行させ得る。
【０１０３】
[0106]  トランシーバ６４０は、上で説明したように、１つまたは複数のアンテナ、ワイヤード、またはワイヤレスリンクを介して、双方向に通信し得る。例えば、トランシーバ６４０は、ワイヤレストランシーバを表し得、別のワイヤレストランシーバと双方向に通信し得る。トランシーバ６４０はまた、パケットを変調して、変調されたパケットを送信のためにアンテナに提供するため、および、アンテナから受信されたパケットを復調するためのモデムを含み得る。いくつかの例では、トランシーバ６４０は、図５を参照して説明された受信機５１０および送信機５２０の両方を含み得る。
【０１０４】
[0107]  いくつかのケースでは、ワイヤレスデバイスは、単一のアンテナ６４５を含み得る。しかしながら、いくつかのケースでは、デバイスは、複数のワイヤレス送信を同時に送信または受信する能力があり得る１つより多くのアンテナ６４５を有し得る。
【０１０５】
[0108]  Ｉ／Ｏコントローラ６５０は、デバイス６００のための入力および出力信号を管理し得る。Ｉ／Ｏコントローラ６５０はまた、デバイス６００に統合されていない周辺機器を管理し得る。いくつかのケースでは、Ｉ／Ｏコントローラ６５０は、外部周辺機器への物理的接続またはポートを表し得る。いくつかのケースでは、Ｉ／Ｏコントローラ６５０は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムのようなオペレーティングシステムを利用し得る。他のケースでは、Ｉ／Ｏコントローラ６５０は、モデム、キーボード、マウス、タッチスクリーン、または他のデバイスを表すか、またはそれらとインタラクトし得る。いくつかのケースでは、Ｉ／Ｏコントローラ６５０は、プロセッサの一部としてインプリメントされ得る。いくつかのケースでは、ユーザは、Ｉ／Ｏコントローラ６５０を介して、またはＩ／Ｏコントローラ６５０によって制御されるハードウェアコンポーネントを介して、デバイス６００とインタラクトし得る。
【０１０６】
[0109]  図７は、ｓＴＴＩチャネルのためのＴＢＳ計算をサポートするネットワーキングシステム７００においてユーザ機器７５０と通信している基地局７１０の例を例示する。基地局７１０またはＵＥ７５０は、それぞれ、図１の基地局１０５またはＵＥ１１５の例であり得る。
【０１０７】
[0110]  ダウンリンク通信では、基地局７１０の送信プロセッサ７２０は、データソース７１２からデータを受信し、コントローラ／プロセッサ７４０から制御信号を受信し得る。送信プロセッサ７２０は、データおよび制御信号、ならびに基準信号（例えば、パイロット信号）のための様々な信号処理機能を提供する。例えば、送信プロセッサ７２０は、エラー検出のための周期的冗長検査（ＣＲＣ）コード、前方誤り訂正（ＦＥＣ）を容易にするためのコーディングおよびインタリーブ、様々な変調方式（例えば、二位相偏移変調（ＢＰＳＫ）、直交位相偏移変調（ＱＰＳＫ）、Ｍ相位偏移変調（Ｍ−ＰＳＫ）、Ｍ値直交振幅変調（Ｍ−ＱＡＭ）、および同様のもの）に基づいた信号コンステレーションへのマッピングを提供し得る。送信プロセッサ７２０は、スペクトル拡散または直交周波数分割変調のような無線アクセス技術に対応する送信波形シンボルを生成し得る。チャネルプロセッサ７４４からのチャネル推定値は、送信プロセッサ７２０のためのコーディング、変調、拡散、および／または波形発生方式を決定するために、コントローラ／プロセッサ７４０によって使用され得る。これらのチャネル推定値は、ＵＥ７５０によって送信された基準信号からまたはＵＥ７５０からのフィードバックから導出され得る。送信プロセッサ７２０によって生成されたシンボルは、フレーム構造を作成するために、送信フレームプロセッサ７３０に提供され得る。フレームは、サブフレームまたはスロットのような、一連のより小さい単位にさらに分割され得る。次いで、増幅すること、フィルタリングすること、および１つまたは複数のアンテナ７３４を通したワイヤレス媒体上でのダウンリンク送信のためにキャリア上にフレームを変調することを含む様々な信号調整機能を提供し得る送信機７３２にフレームが提供される。アンテナ７３４は、ビームステアリング双方向適応型アンテナアレイ（beam steering bidirectional adaptive antenna array）または他の同様のビーム技術を含み得る。
【０１０８】
[0111]  ＵＥ７５０において、受信機７５４は、１つまたは複数のアンテナ７５２を通してダウンリンク送信を受信し、この送信を処理して、キャリア上へ変調された情報を復元する。受信機７５４によって復元された情報は、受信フレームプロセッサ７６０に提供され、受信フレームプロセッサ７６０は、各フレームを解析（parse）し得、フレームからの情報をチャネルプロセッサ７９４に提供し、データ、制御、および基準信号を受信プロセッサ７７０に提供する。次いで、受信プロセッサ７７０は、基地局７１０において送信プロセッサ７２０によって実行される処理の逆を実行する。より具体的には、受信プロセッサ７７０は、変調方式に基づいてシンボルを処理および復調し得る。これらの軟判定は、チャネルプロセッサ７９４によって計算されたチャネル推定値に基づき得る。軟判定は、データまたは制御信号を復元するために復号され、デインターリーブされる。次いで、ＣＲＣコードがチェックされ、フレームが成功裡に復号されたかどうかを決定し得る。成功裡に復号されたフレームによって搬送されたデータは、データシンク７７２に提供され得、それは、ＵＥ７５０および／または様々なユーザインターフェース（例えば、ディスプレイ）で実行中のアプリケーションを表す。成功裡に復号されたフレームによって搬送される制御信号は、コントローラ／プロセッサ７９０に提供される。データが受信プロセッサ７７０によって不成功に復号されると、コントローラ／プロセッサ７９０はまた、それらのデータについての再送要求をサポートするために、肯定応答（ＡＣＫ）および／または否定応答（ＮＡＣＫ）プロトコルを使用し得る。
【０１０９】
[0112]  アップリンクでは、ＵＥ７５０においてデータソース７７８からのデータおよびコントローラ／プロセッサ７９０からの制御信号は、送信プロセッサ７８０に提供される。データソース７７８は、ＵＥ７５０および様々なユーザインターフェース（例えば、キーボード）で実行中のアプリケーションを表し得る。送信プロセッサ７８０は、ＣＲＣコード、ＦＥＣを容易にするためにコーディングおよびインターリービングすること、信号コンステレーションにマッピングすること、ならびに波形シンボルを生成することを含む様々な信号処理機能を提供する。基地局７１０によって送信された基準信号からまたは基地局７１０によるフィードバックから、チャネルプロセッサ７９４によって導出されたチャネル推定値は、適切なコーディング、変調、波形発生方式を選択するために使用され得る。送信プロセッサ７８０によって生み出されるシンボルは、フレーム構造を作成するために、送信フレームプロセッサ７８２に提供され得る。次いで、増幅すること、フィルタリングすること、およびアンテナ６５２を通したワイヤレス媒体上でのアップリンク送信のためにキャリア上にフレームを変調することを含む様々な信号調整機能を提供する送信機７５６に、生成されたフレームが提供される。
【０１１０】
[0113]  基地局７１０において、受信機７３５は、アンテナ７３４を通してアップリンク送信を受信し、この送信を処理して、キャリア上へ変調された情報を復元する。受信機７３５によって復元された情報は、受信フレームプロセッサ７３６に提供され、受信フレームプロセッサ７３６は、各フレームを解析して、フレームからの情報をチャネルプロセッサ６４４に提供し、データ、制御、および基準信号を受信プロセッサ７３８に提供する。受信プロセッサ７３８は、ＵＥ７５０において送信プロセッサ７８０によって実行される処理の逆を実行する。成功裡に復号されたフレームによって搬送されたデータおよび制御信号は、それぞれ、データシンク６３９およびコントローラ／プロセッサ７４０に提供され得る。データのうちのいくつかが、受信プロセッサによって成功裏にまたは不成功に復号された場合、コントローラ／プロセッサ７４０はまた、それらのデータについての送信または再送要求をサポートするために、肯定応答（ＡＣＫ）または否定応答（ＮＡＣＫ）プロトコルを使用し得る。
【０１１１】
[0114]  コントローラ／プロセッサ７４０および７９０は、それぞれ、基地局７１０およびＵＥ７５０における動作を指示（direct）するために使用され得る。例えば、コントローラ／プロセッサ７４０および７９０は、タイミング、周辺インターフェース、電圧調整、電力管理、および他の制御機能を含む様々な機能を提供し得る。メモリ７４２および７９２のコンピュータ読取可能な媒体は、それぞれ、基地局７１０およびＵＥ７５０のためのデータおよびソフトウェアを記憶し得る。基地局７１０におけるスケジューラ／プロセッサ７４６は、ＵＥにリソースを割り振り、ＵＥのためのダウンリンクおよびアップリンク送信をスケジューリングするために使用され得る。
【０１１２】
[0115]  コントローラ／プロセッサ７４０または７９０は、例えば、方法４００において説明されたように、短縮ＴＴＩチャネルのトランスポートブロックのＴＢＳを計算し得る。それは、個々の送信または受信機プロセッサ（例えば、送信プロセッサ７２０、受信プロセッサ７７０）がＴＢＳを計算するための構成情報を提供し得る。計算されたＴＢＳは、ペイロードサイズを決定するために使用され得、送信または受信機プロセッサにおける様々な処理（例えば、コーディングまたは復号）に影響を及ぼし得る。
【０１１３】
[0116]  添付の図面に関連して本明細書で示した説明は、例となる構成を説明しおり、インプリメントされ得るまたは特許請求の範囲の範囲内にあるすべての例を表すわけではない。本明細書で使用される場合、「例示的な（exemplary）」という用語は、「例、事例、または例示としての役割を果たす」ことを意味し、「より好ましい」または「他の例より有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明された例の概念を曖昧にしないために、ブロック図の形式で示される。
【０１１４】
[0117]  本明細書で使用される場合、「〜に基づく（based on）」という表現は、条件の閉じたセットへの参照として解釈されるべきではない。例えば、「条件Ａに基づく」と記載されている例示的なステップは、本開示の範囲から逸脱することなく、条件Ａおよび条件Ｂの両方に基づき得る。換言すると、本明細書で使用される場合、「〜に基づく」という表現は、「〜に少なくとも部分的に基づく（based at least in part on）」という表現と同じように解釈されるものとする。
【０１１５】
[0118]  本明細書で使用される場合、「または／もしくは（or）」という接続詞は、別途コンテキストが示さない限り、一般に「包括的」と解釈されるものとする。例えば、「ＡまたはＢ」は、一般に、「ＡまたはＢのいずれか、または両方」を意味する（しかし、必ずしも「ＡまたはＢのいずれかであって、両方ではない」を意味するわけではない）、換言すると、提示される選択肢（「Ａ」および「Ｂ」）は、必ずしも相互排他的である必要はない。しかしながら、特定のコンテキストは、例えば、「Ａであるか否か」のように、「排他的なor」を示すことができる。
【０１１６】
[0119]  また、請求項を含め、本明細書で使用される場合、項目のリスト（例えば、「〜のうちの少なくとも１つ」または「〜のうちの１つまたは複数」のような表現が付される項目のリスト）で使用される「または（or）」は、例えば、Ａ、ＢまたはＣのうちの少なくとも１つというリストが、ＡまたはＢまたはＣまたはＡＢまたはＡＣまたはＢＣまたはＡＢＣ（すなわち、ＡおよびＢおよびＣ）を意味するように、包括的なリストを示す。
【０１１７】
[0120]  本明細書の開示に関連して説明された実例となる様々な論理ブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェアコンポーネント、または本明細書で説明された機能を実行するように設計されたそれらの任意の組合せでインプリメントまたは実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ（例えば、デジタルシグナルプロセッサと、１つのマイクロプロセッサ、複数のマイクロプロセッサ、ＤＳＰコアと連携した１つまたは複数のマイクロプロセッサ、または任意の他のそのような構成との組合せ）としてインプリメントされ得る。
【０１１８】
[0121]  本明細書で説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それらの機能は、コンピュータ読取可能な媒体上の１つまたは複数の命令またはコードとして記憶または送信され得る。他の例およびインプリメンテーションが、添付の特許請求の範囲および本開示の範囲内にある。例えば、ソフトウェアの性質により、上述した機能は、プロセッサによって実行されるソフトウェア、ハードウェア、ファームウェア、ハードワイヤリング、またはそれらの任意のものの組合せを使用して、インプリメントされることができる。機能をインプリメントする特徴はまた、様々な位置に物理的に配置され得、これには、機能の部分が異なる物理的ロケーションにインプリメントされるように分散されることが含まれる。
【０１１９】
[0122]  コンピュータ読取可能な媒体は、ある場所から別の場所へのコンピュータプログラムの転送を容易にする任意の媒体を含む通信媒体および非一時的なコンピュータ記憶媒体の両方を含む。非一時的な記憶媒体は、汎用または専用コンピュータによってアクセスされることができる任意の利用可能な媒体であり得る。限定ではなく例として、非一時的なコンピュータ読取可能な媒体は、ランダムアクセスメモリ（ＲＡＭ）、読取専用メモリ（ＲＯＭ）、電気的消去可能プログラマブル読取専用メモリ（ＥＥＰＲＯＭ（登録商標））、コンパクトディスク（ＣＤ）ＲＯＭもしくは他の光ディスク記憶装置、磁気ディスク記憶装置もしくは他の磁気記憶デバイス、または命令もしくはデータ構造の形式で所望のプログラムコード手段を搬送もしくは記憶するために使用可能であり、汎用もしくは専用コンピュータまたは汎用もしくは専用プロセッサによってアクセス可能な任意の他の非一時的な媒体を含むことができる。また、いずれの接続も、厳密にはコンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、デジタル加入者回線、または赤外線、電波、およびマイクロ波のようなワイヤレス技術は、媒体の定義に含まれる。本明細書で使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。上記の組合せもまた、コンピュータ読取可能な媒体の範囲内に含まれる。
【０１２０】
[0123]  本開示の先の説明は、当業者による本開示の実行または使用を可能にするために提供される。本開示に対する様々な修正は当業者には容易に明らかであり、本明細書で定義された包括的な原理は、本開示の精神または範囲から逸脱することなく、他の変形に適用され得る。ゆえに、本開示は、本明細書で説明された例および設計に制限されるよう意図されるのではなく、本明細書で開示された原理および新規な特徴に合致する最も広い範囲が与えられるべきである。
【図１】
2021514142.tif 000011
【図２】
2021514142.tif 000012
【図３】
2021514142.tif 000013
【図４】
2021514142.tif 000014
【図５】
2021514142.tif 000015
【図６】
2021514142.tif 000016
【図７】
2021514142.tif 000017
【国際調査報告】
2021514142.tif 000018
2021514142.tif 000019
2021514142.tif 000020